(57)【要約】【課題】表示コンテンツに対して最適な色温度設定を容易に行い、視認時の違和感を無くし見栄えの良いカラー画像表示装置を提供する。【解決手段】画像表示装置は、メモリ部を構成する色調整データメモリ２２４と、コンテンツ認識手段及び画面調整手段を構成するＲＧＢ信号制御部２２２とを有する。色調整データメモリ２２４は、コンテンツに対応付けて、色温度及びその色温度で決まる表示色の色バランス調整用のデータを保持する。ＲＧＢ信号制御部２２２は、表示パネル２２１の表示画面に表示されるカラー画像を構成するコンテンツを認識し、認識されたコンテンツに対応して、色調整データメモリ２２４のデータに基づいて、カラー画像の表示色の色バランス設定を調整する。【選択図】図１
2008070621.tif 000002
【特許請求の範囲】
【請求項１】
コンテンツのカラー画像を表示画面に表示する画像表示装置において、
前記コンテンツに対応付けて、色温度及びその色温度で決まる表示色の色バランス調整用のデータを予め保持するメモリ部と、
前記表示画面に表示される前記カラー画像を構成するコンテンツを認識するコンテンツ認識手段と、
前記コンテンツ認識手段により認識された前記コンテンツに対応して、前記メモリ部のデータに基づいて前記カラー画像の表示色の色バランス設定を調整する画面調整手段とを備えたことを特徴とする画像表示装置。
【請求項２】
前記コンテンツ認識手段は、前記コンテンツを表示するためのソフトウェアの起動を検知し、
前記画面調整手段は、検知された前記ソフトウェアの起動をトリガとして、前記表示色の色バランス設定を切り替えることを特徴とする請求項１記載の画像表示装置。
【請求項３】
前記コンテンツ認識手段は、前記コンテンツを表示するためのソフトウェアを認識し、
前記画面調整手段は、前記ソフトウェア毎に前記表示色の色バランス設定を調整することを特徴とする請求項１又は２記載の画像表示装置。
【請求項４】
前記コンテンツは、動画像及び静止画像を含み、
前記コンテンツ認識手段は、前記動画像及び静止画像を認識し、
前記画面調整手段は、前記静止画像表示時と前記動画像表示時とのそれぞれに対して、前記メモリ部のデータに基づいて前記表示色の色バランス設定を個別に行うことを特徴とする請求項１乃至３のいずれかに記載の画像表示装置。
【請求項５】
前記コンテンツは、動画像及び静止画像を含み、
前記コンテンツ認識手段は、前記動画像及び静止画像を認識し、
前記画面調整手段は、前記静止画像表示時に予め設定された色温度に基づいて前記表示色の色バランス設定を行う一方、前記動画像表示時に前記静止画像表示時よりも色温度が高くなるように前記表示色の色バランス設定を調整することを特徴とする請求項１乃至３のいずれかに記載の画像表示装置。
【請求項６】
前記コンテンツは、動画像及び静止画像を含み、
前記コンテンツ認識手段は、前記動画像及び静止画像を認識し、
前記画面調整手段は、前記静止画像表示時と前記動画像表示時とで互いに色温度が異なるように前記表示色の色バランス設定を調整することを特徴とする請求項１乃至３のいずれかに記載の画像表示装置。
【請求項７】
前記画面調整手段は、前記表示画面の任意の表示領域に対して部分的に前記カラー画像の表示色の色バランス設定を調整することを特徴とする請求項１乃至６のいずれかに記載の画像表示装置。
【請求項８】
前記メモリ部のデータは、前記コンテンツと、前記色温度で決まる表示色のＲＧＢ混合比に基づくＲＧＢ最大輝度とを対応付けたものであり、
前記画面調整手段は、前記コンテンツに対応して、前記メモリ部のデータに基づき前記カラー画像の表示色のＲＧＢ最大輝度を調整するものであることを特徴とする請求項１乃至７のいずれかに記載の画像表示装置。
【請求項９】
前記メモリ部のデータは、前記コンテンツと、前記色温度で決まる表示色のＲＧＢ混合比に基づくＲＧＢデータ変換係数とを対応付けたものであり、
前記画面調整手段は、前記コンテンツに対応して、前記メモリ部のデータに基づき前記カラー画像のＲＧＢデータを変換するものであることを特徴とする請求項１乃至７のいずれかに記載の画像表示装置。
【請求項１０】
請求項１乃至９のいずれかに記載の画像表示装置を用いたことを特徴とする電子機器。
【発明の詳細な説明】
【技術分野】
【０００１】
本発明は、カラー画像を表示する画像表示装置及びこれを用いた電子機器に係り、特に画像表示装置の表示色調を調整する際の色温度設定方法に関する。
【背景技術】
【０００２】
カラー画像表示装置は、近年パーソナルコンピュータ（以下「パソコン」又は「ＰＣ」と呼ぶ）やテレビ受像機、デジタル放送受像機のほか、携帯電話機、デジタルカメラ等のモバイル機器等の電子機器に幅広く採用されるに至っている。代表的なカラー画像表示装置としては、例えば液晶ディスプレイ（ＬＣＤ：Liquid Crystal Display）や、ＣＲＴ（Cathode Ray Tube）、有機ＥＬ（エレクトロルミネッセンス）ディスプレイが挙げられる。
【０００３】
これらの表示装置は、いずれも赤、緑、青（以下「Ｒ、Ｇ、Ｂ」と呼ぶ）の三原色による加法混色を用いてカラー画像の色を表現している。具体的には、各Ｒ、Ｇ、Ｂの原色の発光強度を調整し、その混合比により表示対象の色を再現する。このとき、表現される色は、より自然界の色に近づけることが理想とされている。このため、表示装置の置かれる環境、即ち照明の状態や外光、暗所などの環境に応じてより自然な色を表示できるように、表示装置の色調、特に表示色の無彩色ポイントを決めるホワイトバランスを調整できることが望まれる。近年は、更に、表示デバイス、画像出力デバイスの多様化により、出力先のデバイスに依らず同様な色再現が求められるようになってきている。
【０００４】
ホワイトバランス調整により決定される無彩色ポイント（ホワイトの色度座標）は、時に色温度によって表される。色温度は、ある光と同じ色の光を黒体が放射する時の黒体の温度で与えられる。この際の色温度と色の関係を示す黒体軌跡は、ＣＩＥ（Commission Internationale de l'Eclairage：国際照明委員会）で定められた色度座標上では、図８のような軌跡をとる。図８からも分かるように色温度が高いほど赤っぽく、低いほど青っぽく見える。色彩工学では、色温度は６５００Ｋ（ケルビン）が事実上標準とされている。日本の地上波アナログカラーテレビ放送に採用されている方式であるＮＴＳＣ（National Television Standards Committee）では、色温度は６７７４Ｋと定められているが、実際には、日本の一般テレビ受像機は９３００Ｋ以上の高い色温度に設定されていることが多い。また、パソコンのモニタでは、色温度は９３００Ｋが主流であるが、デザイン用途やデジタル写真の表示など用途によっては、６５００Ｋや５０００Ｋといった低い色温度に設定可能となっている。
【０００５】
以上のようなホワイトバランスの補正に関する従来例としては、特許文献１が挙げられる。特許文献１では、各原色信号の混合比率の異なる複数の色図形データを表示し、その中から選択又は指定された色図形データに基づいて各原色信号の発光強度バランスを調整する自発光型カラーディスプレイ色調整システムが開示されている。
【特許文献１】特開平１１−１７８０１５号公報
【発明の開示】
【発明が解決しようとする課題】
【０００６】
これまでのディスプレイにおいては、表示するコンテンツはある程度限られており、色温度はその用途によって一度設定すれば大方十分であった。ところが、近年はパソコンにおける表示コンテンツも、ドキュメントから、写真表示、ＤＶＤ（Digital Versatile Disk）やテレビの視聴など様々となってきている。更に、携帯電話等のモバイル機器においても、同様に様々なコンテンツを表示可能となってきている。
【０００７】
このように１つの表示デバイスに多様なコンテンツが表示されるようになると、その表示デバイスの色温度設定によっては、表示されたコンテンツの表示色調に違和感を覚えるといった問題が生じる。例えば、テレビ受像機よりも低めの色温度に設定されているパソコンや携帯電話機などの他のデバイスのモニタでテレビ番組を視聴すると、その映像の表示色調に違和感を覚えることがある。これは、従来テレビ受像機において視聴していた９０００Ｋ以上の高い色温度に設定された映像に対して視聴者の感覚が慣れていることに一因があると考えられる。
【０００８】
前述した特許文献１は、ホワイトバランスの補正に関するものであるが、上記のようなコンテンツによってその表示色調に違和感を覚えるといった課題を必ずしも意図してなされたものではない。
【０００９】
本発明は、このような問題に鑑みるものであり、表示コンテンツに対して最適な色温度設定を容易に行い、視認時の違和感を低減し見栄えの良いカラー画像表示装置を提供することを目的とする。
【課題を解決するための手段】
【００１０】
上記目的を達成するため、本発明に係る画像表示装置は、コンテンツのカラー画像を表示画面に表示する画像表示装置において、前記コンテンツに対応付けて、色温度及びその色温度で決まる表示色の色バランス調整用のデータを予め保持するメモリ部と、前記表示画面に表示される前記カラー画像を構成するコンテンツを認識するコンテンツ認識手段と、前記コンテンツ認識手段により認識された前記コンテンツに対応して、前記メモリ部のデータに基づいて前記カラー画像の表示色の色バランス設定を調整する画面調整手段とを備えたことを特徴とする。
【００１１】
本発明において、前記コンテンツ認識手段は、前記コンテンツを表示するためのソフトウェアの起動を検知し、前記画面調整手段は、検知された前記ソフトウェアの起動をトリガとして、前記表示色の色バランス設定を切り替えてもよい。前記コンテンツ認識手段は、前記コンテンツを表示するためのソフトウェアを認識し、前記画面調整手段は、前記ソフトウェア毎に前記表示色の色バランス設定を調整してもよい。
【００１２】
本発明において、前記コンテンツは、動画像及び静止画像を含み、前記コンテンツ認識手段は、前記動画像及び静止画像を認識してもよい。前記画面調整手段は、前記静止画像表示時と前記動画像表示時とのそれぞれに対して、前記メモリ部のデータに基づいて前記表示色の色バランス設定を個別に行ってもよい。あるいは、前記画面調整手段は、前記静止画像表示時に予め設定された色温度に基づいて前記表示色の色バランス設定を行う一方、前記動画像表示時に前記静止画像表示時よりも色温度が高くなるように前記表示色の色バランス設定を調整してもよい。または、前記画面調整手段は、前記静止画像表示時と前記動画像表示時とで互いに色温度が異なるように前記表示色の色バランス設定を調整してもよい。
【００１３】
本発明において、前記画面調整手段は、前記表示画面の任意の表示領域に対して部分的に前記カラー画像の表示色の色バランス設定を調整してもよい。
【００１４】
本発明において、前記メモリ部のデータは、前記コンテンツと、前記色温度で決まる表示色のＲＧＢ混合比に基づくＲＧＢ最大輝度とを対応付けたものであってもよい。前記画面調整手段は、前記コンテンツに対応して、前記メモリ部のデータに基づき前記カラー画像の表示色のＲＧＢ最大輝度を調整するものであってもよい。あるいは、前記メモリ部のデータは、前記コンテンツと、前記色温度で決まる表示色のＲＧＢ混合比に基づくＲＧＢデータ変換係数とを対応付けたものであってもよい。前記画面調整手段は、前記コンテンツに対応して、前記メモリ部のデータに基づき前記カラー画像のＲＧＢデータを変換するものであってもよい。
【００１５】
本発明に係る電子機器は、上記いずれかの画像表示装置を用いたことを特徴とする。
【発明の効果】
【００１６】
本発明によれば、表示されるコンテンツに対して、従来表示していた他の表示デバイスとの色調に対する差異が低減され、視認時の違和感の少ないコンテンツ表示が可能となる。
【発明を実施するための最良の形態】
【００１７】
以下、本発明に係る画像表示装置及びこれを用いた電子機器を実施するための最良の形態について、図面を参照して説明する。
【００１８】
本実施の形態における画像表示装置は、カラー画像表示が可能で、表示画面の色バランスを調整する機能を備えた画面調整手段と、表示画面に表示されるコンテンツを認識するコンテンツ認識手段と、メモリ部とを備える。コンテンツには、静止画像、動画像、ドキュメント等のデータが含まれている。メモリ部には、コンテンツと、これに応じて予め設定した色温度とに対応付けて、色バランス調整用のデータ（例：ＲＧＢ混合比で得られるＲＧＢ最大輝度又はＲＧＢ変換係数）が予め保持されている。
【００１９】
画面調整手段は、認識されたコンテンツに対応し、メモリ部に保持された色バランス調整用のデータを自動的に設定する設定手段を有する。この設定手段は、コンテンツを表示するためのアプリケーションソフトウェア（以下「アプリケーションソフト」又は「アプリケーション」と略称する）の起動を検知し、その起動をトリガとして色バランス設定を切り替えるように動作する。あるいは、この設定手段は、次のように動作してもよい。まず、コンテンツが静止画像及び動画像であるとき、動画表示時における信号の時間変化を検知し、表示面内において信号の時間変化が一定値以下であるものを静止画とし、それが一定値以上であるものを動画として認識する。これにより、認識された静止画と動画とのそれぞれに対して、メモリ部に予め保持された色バランス調整用データを個別に設定する。
【００２０】
本実施の形態によれば、表示されるコンテンツに対して、従来表示していた他の表示デバイスとの色調に対する差異が低減され、視認時の違和感の少ないコンテンツ表示が可能となる。
【００２１】
以下、図１〜図７を参照して、本発明に係る画像表示装置の各種実施例について説明する。
【実施例１】
【００２２】
図１は、本発明の第１の実施例における画像表示装置の構成図である。
【００２３】
同図に示す本実施例の画像表示装置は、主に制御部２１と表示部２２の２つを有する。両部２１、２２は、例えば携帯電話機やデジタルカメラのように１つの筐体内に収納される一体型のものであってもよく、あるいは、ＰＣのように互いに独立した個別の装置（ユニット）として構成されるものであってもよい。
【００２４】
制御部２１は、システム制御部（本発明のコンテンツ認識手段の一部を成す。）２１１、操作部２１２、及び記憶部２１３を備える。これら各部２１１〜２１３は、各種データや制御信号を送受信可能に接続されている。
【００２５】
操作部２１２は、画像表示装置が搭載される電子機器に応じて種々のデバイスが適用され、例えば利用者により操作可能なキー、ボタン、スイッチ、キーボード、マウス、遠隔操作器等の各種操作器が用いられる。この操作部２１２は、利用者の操作に応じた操作信号（コマンド）Ｓ１をシステム制御部２１１に送る。
【００２６】
記憶部２１３は、例えばＲＯＭ（Read Only Memory）等の半導体メモリや、ハードディスク等の記憶装置で構成される。この記憶部２１３には、静止画像、動画像、ドキュメントなどのコンテンツデータの表示に関する各種処理を行う複数のアプリケーションソフトが予め設定され、所定の記憶領域内に記憶されている。また、この記憶部２１３には、ＯＳ（オペレーティングシステム）等のソフトウェアも記憶され、そのＯＳ上で各アプリケーションソフトが管理される。記憶部２１３に記憶されている各ソフトウェアに対応するプログラムコードの命令は、システム制御部２１１により実行される。
【００２７】
システム制御部２１１は、例えばＣＰＵ（Central Processing Unit）を搭載したプロセッサで構成される。このシステム制御部２１１は、操作部２１２からの操作信号Ｓ１に応じて、記憶部２１３に記憶されたアプリケーションソフトを起動し、そのプログラムコードの命令を実行する。これにより、このシステム制御部２１１は、記憶部２１３もしくは外部記憶媒体（非図示）に保持された静止画像、動画像、ドキュメントなどのコンテンツデータを、例えば０〜２５５で与えられるＲＧＢデータ信号Ｓ２の形式で表示部２２に出力する。このとき、システム制御部２１１は、起動されたアプリケーションソフトを特定するための識別情報であるアプリケーションＩＤ  Ｓ３も表示部２２に出力する。
【００２８】
表示部２２は、表示パネル２２１、ＲＧＢ信号制御部（本発明の画面調整手段及びコンテンツ認識手段の要部を成す。）２２２、駆動回路２２３、及び色調整データメモリ（本発明のメモリ部を成す。）２２４を備える。この表示部２２は、システム制御部２１１から送られてきたＲＧＢデータ信号を、ＲＧＢ信号制御部２２２を介して駆動回路２２３によって表示パネル２２１のアプリケーション表示領域上に表示する。
【００２９】
表示パネル２２１は、例えばアクティブマトリクス型の画像表示パネルで構成される。本実施例では、一例として有機ＥＬ素子とＴＦＴ（Thin Film Transistor）を含む複数の画素がマトリクス状に配置されて成る有機ＥＬ表示装置用の表示パネル（ＥＬパネル）が用いられる。有機ＥＬ素子は、供給される電流によって発光輝度が制御される電流制御型の発光素子である。ＥＬパネルでは、ＲＧＢの３原色の発光素子がそれぞれその波長の光を発光するＥＬ材料で構成され、隣接配置されて１つの色を表示する単位となり、これが行方向と列方向に配列されている。ＲＧＢの各発光素子は、それぞれの色毎に設けられた駆動電源（非図示）に接続される。ＲＧＢの各駆動電源の供給電圧最大値は、ＲＧＢ信号制御部２２２からの制御信号により調整可能となっている。
【００３０】
ＲＧＢ信号制御部２２２は、上記Ｓ２及びＳ３を入力すると、色調整データメモリ２２４を参照して、表示パネル２２１の表示色調（ホワイトポイント）調整のためにＲＧＢの各駆動電源の供給電圧設定やＲＧＢデータ変換等の制御を行う。
【００３１】
ここで、本実施例による表示色調の調整法について説明する。
【００３２】
ホワイトポイントは、ＲＧＢの発光強度比によって決定される。まず、所望の色温度となるホワイト（Ｗ）の色度座標を決定し、ホワイトが所望の色度座標となるようにＲ、Ｇ、Ｂの混合比を加法混色の原理から算出する。例えば、所望の色温度となるホワイトの色度が黒体軌跡を参照しＣＩＥ座標（ｘ，ｙ）によりＷ（ｗｘ，ｗｙ）で与えられ、Ｒ、Ｇ、Ｂ原色の色度がそれぞれＲ（ｒｘ，ｒｙ）、Ｇ（ｇｘ，ｇｙ）、Ｂ（ｂｘ，ｂｙ）であるとする。このとき、ＲＧＢの混合比ｒ：ｇ：ｂは、次の定義式（ＣＩＥ表色系における色度ｘ、ｙと三刺激値Ｘ、Ｙ、Ｚの関係式）により、ＲＧＢの色度（ｘ，ｙ）と、所望のＷの輝度Ｌ及び色度（ｘ，ｙ）から、算出される。
【００３３】
【数１】
2008070621.tif 000003
【００３４】
ここで算出されたＲＧＢ混合比ｒ：ｇ：ｂは、図２に示すようなアプリケーションＩＤと、色温度と、ＲＧＢ混合比との関係を対応付けるテーブルとして、色調整データメモリ２２４に保持される。また、ホワイトバランス調整は、最大表示輝度のみで行っても、各階調毎に行っても良いが、所望とするＷの輝度は一定となるように調整する。このとき、固定するＷの最大輝度をＬ＝Ｙｗとすると、Ｒ、Ｇ、Ｂ最大輝度Ｌｒ、Ｌｇ、Ｌｂは、上記で算出されたＲＧＢ混合比ｒ：ｇ：ｂから、次式（加法混色法に基づくＲＧＢＷの三刺激値とＲＧＢ混合比の関係式）で与えられる。
【００３５】
【数２】
2008070621.tif 000004
【００３６】
ここで得られた色温度に対応するＲ、Ｇ、Ｂ最大輝度Ｌｒ、Ｌｇ、Ｌｂは、上記の色調整データメモリ２２４に保持されるアプリケーションとＲＧＢ混合比とを対応付けるテーブルに予め設定される。
【００３７】
次に、図３及び図４を参照して、コンテンツ表示に対して色温度を変換する方法を説明する。図３は制御部２１のシステム制御部２１１による処理例、図３は表示部２２のＲＧＢ信号制御部２２２による処理例をそれぞれ示す。
【００３８】
まず、図３において、操作部２１２によりアプリケーションソフトが起動されると、システム制御部２１１は、ＲＧＢデータ信号Ｓ２と共に、起動したアプリケーションに対応するアプリケーションＩＤ  Ｓ３を認識して表示部２２に出力する（ステップＳｔ１〜３）。
【００３９】
続いて、図４において、ＲＧＢ信号制御部２２２は、アプリケーションＩＤ  Ｓ３が入力されると（ステップＳ１１：ＹＥＳ）、色調整データメモリ２２４のテーブルを参照する（ステップＳ１１）。そして、入力されたアプリケーションＩＤ  Ｓ３に基づき、色調整データメモリ２２４のテーブルから、対応する色温度に基づくＲＧＢ混合比と最大輝度値を読み取る（ステップＳｔ１３）。
【００４０】
これにより、ＲＧＢ信号制御部２２２は、出力色調の調整を行う（ステップＳｔ１４）。色調の調整は、例えば、色調整データメモリ２２４から読み取った最大輝度値に合うようにＲ、Ｇ、Ｂそれぞれの駆動電源の電圧最大値を調整することで行う。この場合、入力されたＲＧＢデータに対しては何の処理もなされない。
【００４１】
以後、ＲＧＢ信号制御部２２２は、上記のように調整された色調設定のもとで、システム制御部２１１から入力されたＲＧＢデータ信号Ｓ２に従い、通常の動作により表示パネル２２１の表示制御を行う（ステップＳｔ１５）。
【００４２】
その後、操作部２１２によりアプリケーションが終了されると（ステップＳ１６：ＹＥＳ）、ＲＧＢ信号制御部２２２は、上記調整後の色調設定から、予め設定された調整前（標準）の色調設定に戻す（ステップＳｔ１７）。
【００４３】
なお、本実施例における画像表示装置では、１つのアプリケーションに対し、表示パネル２２１の全面の表示領域上でコンテンツ表示が行われているが、本発明は必ずしもこれに限定されない。例えば、複数のアプリケーションに対し、表示パネル２２１の異なる表示領域上に個別にコンテンツ表示を行ってもよい。
【実施例２】
【００４４】
次に、本発明の第２の実施例について説明する。本実施例における画像表示装置の構成は第１の実施例と同様であるが、表示色調の調整法が異なるものである。
【００４５】
本実施例の画像表示装置は、複数のアプリケーションを同時に起動することが可能であり、図５に示すように表示パネル２２１内の任意の範囲（図中の例では、１つのアプリケーション表示領域３１）に表示することが可能なものとする。
【００４６】
次に、本実施例による表示色調の調整方法について説明する。
【００４７】
まず、調整前（標準）の色調設定は、第１の実施例と同様に、ＲＧＢの混合比と出力輝度により、Ｒ、Ｇ、Ｂ駆動電源の電圧最大値が設定されている。これに対し、本実施例の色調調整は、次式に示すＲＧＢデータ変換式に従ってＲＧＢデータを変換することで行う。
【００４８】
【数３】
2008070621.tif 000005
【００４９】
上記変換式のＲ、Ｇ、Ｂは、元のＲＧＢデータであり、本実施例ではそれぞれ０〜２５５で与えられる。Ｒ’、Ｇ’、Ｂ’はそれぞれ変換後のＲＧＢデータ、ｒ、ｇ、ｂは標準色調設定でのＲＧＢ混合比、ｒ’、ｇ’、ｂ’は色調変換後のＲＧＢ混合比を表す。
【００５０】
色調整データメモリ２２４には、図６に示すように、アプリケーションＩＤと、対応する色温度と、色温度に対応するＲＧＢデータ変換係数とが保持されている。ＲＧＢデータ変換係数は、それぞれ上式のｒ’／ｒ、ｇ’／ｇ、ｂ’／ｂで与えられる。
【００５１】
次に、上記のＲＧＢデータ変換係数を用いて、コンテンツ表示に対して色温度を変換する方法を説明する。
【００５２】
まず、操作部２１２によりアプリケーションソフトが起動されると、システム制御部２１１は、ＲＧＢデータ信号Ｓ２と共に、起動したアプリケーションに対応するアプリケーションＩＤ  Ｓ３を出力する。
【００５３】
続いて、ＲＧＢ信号制御部２２２は、アプリケーションＩＤ  Ｓ３が入力されると、色調整データメモリ２２４を参照して、対応するＲＧＢデータ変換係数を読み取る。そして、ＲＧＢ信号制御部２２２は、入力されたＲＧＢデータ信号Ｓ２の内、アプリケーション表示領域３１のＲＧＢデータにのみに対して、読み取ったＲＧＢデータ変換係数を掛ける演算を施す。
【００５４】
これにより、表示パネル２２１上でアプリケーション表示領域３１のみの色調が変換され、アプリケーション非表示領域３２の色調は、標準設定のままとなる。このときの表示例を図７に示す。同図の例では、アプリケーション表示領域３１の色バランスは、色温度が９３００Ｋとなるように調整され、アプリケーション非表示領域３２の色バランスは、色温度が標準設定の６５００Ｋのままとなっている。
【００５５】
なお、上記の第１及び第２の実施例では、コンテンツ認識手段及び画面調整手段として、コンテンツを表示するためのアプリケーションソフトの起動を検知し、その起動をトリガとして色バランスの設定を切り替えるものを用いている。しかしながら、本発明は必ずしもこれに限定されない。
【００５６】
例えば、コンテンツ認識手段が、動画表示時の信号の時間変化を検知し、表示画面内にて信号の時間変化が一定値以下であるものを静止画、一定値以上であるものを動画として認識する。この種の方法は、画像処理等の分野では公知の動画検知による手法を適用することで実現可能である。そして、画面調整手段が、静止画と動画とのそれぞれの画面表示に対しメモリ部のデータを元に個別に色バランス設定を行ってもよい。あるいは、静止画表示時は予め設定された色バランスにより表示を行い、画面に表示されるコンテンツが動画である場合は、表示色の色バランスを予め設定されたものより色温度が高くなるように調整してもよい。
【産業上の利用可能性】
【００５７】
本発明は、ＰＣ、テレビ受像機、デジタル放送受像機のほか、携帯電話機、デジタルカメラ等のモバイル機器等の電子機器に用いられる有機ＥＬディスプレイ、ＬＣＤ、ＣＲＴ等のカラー画像表示装置の用途に適用できる。
【図面の簡単な説明】
【００５８】
【図１】本発明の第１の実施例による画像表示装置のシステム概略図である。
【図２】第１の実施例の色調整データメモリにおけるアプリケーションと、色温度と、ＲＧＢ混合比に基づくＲＧＢ最大輝度との関係を対応付けるテーブルを示す図である。
【図３】第１の実施例のシステム制御部の処理を示すフローチャートである。
【図４】第１の実施例のＲＧＢ信号制御部の処理を示すフローチャートである。
【図５】本発明の第２の実施例による画像表示装置において、表示パネルの一部分にコンテンツ表示する場合の一例を示す図である。
【図６】第２の実施例の色調整データメモリにおけるアプリケーションと、色温度と、ＲＧＢ混合比に基づくＲＧＢ変換係数との関係を対応付けるテーブルを示す図である。
【図７】第２の実施例によるコンテンツ表示例を示す図である。
【図８】ＣＩＥ（ｘ，ｙ）座標上での黒体軌跡を説明する図である。
【符号の説明】
【００５９】
２１  制御部
２１１システム制御部
２１２  操作部
２１３  記憶部
２２  表示部
２２１  表示パネル
２２２  ＲＧＢ信号制御部
２２３  駆動回路
２２４  色調整データメモリ
３１  アプリケーション表示領域
３２  アプリケーション非表示領域
【図１】
2008070621.tif 000006
【図２】
2008070621.tif 000007
【図３】
2008070621.tif 000008
【図４】
2008070621.tif 000009
【図５】
2008070621.tif 000010
【図６】
2008070621.tif 000011
【図７】
2008070621.tif 000012
【図８】
2008070621.tif 000013